(57)【要約】      （修正有）【課題】電源がある場合も無い場合も動作し、既存の装置を利用して一挙に大量の送水を可能にする送水装置を提供する。【解決手段】  本体ケース１２の一方の面には吸水側継ぎ手３４が連結されている。本体ケース１２の他方の面には排水側継ぎ手２８が連結されている。ポンプ羽根１４は、吸水側継ぎ手３４を通じて吸い込んだ水を排水側継ぎ手２８側に排出する機能を持つ。本体ケース１２の一方の面には、支持基板３２が固定されている。支持基板３２には、吸水側継ぎ手３４と安定化枠４０が支持固定されている。コネクタ１８を先端に取り付けた駆動軸１６をポンプ羽根１４に連結した状態で、ポンプ羽根１４が回転駆動される。安定化枠４０は、ポンプ羽根１４の回転軸と交差する方向に向けた安定化柱を貫通させて、駆動軸１６を駆動したとき生じる反作用により本体ケース１２が揺れるのを防止する機能を持つ。【選択図】図１
0003221376.tif 000002
【実用新案登録請求の範囲】
【請求項１】
以下の要素を備えたことを特徴とする送水装置。
（ａ）  本体ケース１２はポンプ羽根１４を収容している。
（ｂ）  本体ケース１２の一方の面には、吸水孔２４が設けられている。
（ｃ）  吸水孔２４には、吸水側継ぎ手３４が連結されている。
（ｄ）  本体ケース１２の他方の面には、排水孔２６と軸孔２２が設けられている。
（ｅ）  排水孔２６には排水側継ぎ手２８が連結されている。
（ｆ）  ポンプ羽根１４は、吸水側継ぎ手３４を通じて吸い込んだ水を排水側継ぎ手２８側に排出する機能を持つ。
（ｇ）  本体ケース１２の一方の面には、支持基板３２が固定されている。
（ｈ）  支持基板３２には、吸水側継ぎ手３４と安定化枠４０が支持固定されている。
（ｉ）  コネクタ１８を先端に取り付けた駆動軸１６を軸孔２２に挿入して、コネクタ１８をポンプ羽根１４に連結した状態で、ポンプ羽根１４が回転駆動される。
（ｊ）  安定化枠４０は、ポンプ羽根１４の回転軸と交差する方向に向けた安定化柱５４を貫通させて、駆動軸１６を駆動したとき生じる反作用により本体ケース１２が揺れるのを防止する機能を持つ。
【請求項２】
請求項１に記載の送水装置において、
吸水孔２４を水底に向けて排水孔２６側に水を汲み上げる揚水ポンプ用の本体ケース１２に、支持基板３２と吸水側継ぎ手３４と安定化枠４０とを取り付けたものであることを特徴とする送水装置。
【請求項３】
請求項１または２に記載の送水装置において、
駆動軸１６は、電動機と電動機以外の動力により駆動できることを特徴とする送水装置。
【考案の詳細な説明】
【技術分野】
【０００１】
本考案は、災害発生時の給水作業等に威力を発揮する送水装置に関する。
【背景技術】
【０００２】
上水道のトラブルにより断水をした場合に、タンク車が該当する箇所に飲料水を運び込んで給水する。災害発生時には例えば、自衛隊のタンク車が各避難所をまわって順番に給水をする。この場合に、各避難所には貯水槽が設けられ、タンク車からこの貯水槽に飲料水を給水する。給水設備については各種の技術が紹介されている（特許文献１）（特許文献２）。
【先行技術文献】
【特許文献】
【０００３】
【特許文献１】特開平９−１５８２６３号公報
【特許文献２】特開２００４−２７５９５４号公報
【考案の概要】
【考案が解決しようとする課題】
【０００４】
既知の従来の技術には、次のような解決すべき課題があった。
タンク車から貯水槽に飲料水を供給する場合に、ポンプが使用される。このポンプの容量が小さいと、一箇所の避難所への給水時間が長くなり、その後の避難所への給水が遅れるという問題がある。しかも、避難所で必ず電源が確保できるという保証がない。
上記の課題を解決するために、本考案は、電源がある場合も無い場合も動作し、既存の装置を利用して一挙に大量の送水を可能にする送水装置を提供することを目的とする。
【課題を解決するための手段】
【０００５】
以下の構成はそれぞれ上記の課題を解決するための手段である。
〈構成１〉
以下の要素を備えたことを特徴とする送水装置。
（ａ）  本体ケース１２はポンプ羽根１４を収容している。
（ｂ）  本体ケース１２の一方の面には、吸水孔２４が設けられている。
（ｃ）  吸水孔２４には、吸水側継ぎ手３４が連結されている。
（ｄ）  本体ケース１２の他方の面には、排水孔２６と軸孔２２が設けられている。
（ｅ）  排水孔２６には排水側継ぎ手２８が連結されている。
（ｆ）  ポンプ羽根１４は、吸水側継ぎ手３４を通じて吸い込んだ水を排水側継ぎ手２８側に排出する機能を持つ。
（ｇ）  本体ケース１２の一方の面には、支持基板３２が固定されている。
（ｈ）  支持基板３２には、吸水側継ぎ手３４と安定化枠４０が支持固定されている。
（ｉ）  コネクタ１８を先端に取り付けた駆動軸１６を軸孔２２に挿入して、コネクタ１８をポンプ羽根１４に連結した状態で、ポンプ羽根１４が回転駆動される。
（ｊ）  安定化枠４０は、ポンプ羽根１４の回転軸と交差する方向に向けた安定化柱５４を貫通させて、駆動軸１６を駆動したとき生じる反作用により本体ケース１２が揺れるのを防止する機能を持つ。
【０００６】
〈構成２〉
構成１に記載の送水装置において、吸水孔２４を水底に向けて排水孔２６側に水を汲み上げる揚水ポンプ用の本体ケース１２に、支持基板３２と吸水側継ぎ手３４と安定化枠４０とを取り付けたものであることを特徴とする送水装置。
【０００７】
〈構成３〉
構成１または２に記載の送水装置において、駆動軸１６は、電動機と電動機以外の動力により駆動できることを特徴とする送水装置。
【考案の効果】
【０００８】
〈構成１の効果〉
大容量の送水が可能で、本体ケース１２や吸水ホース３６や排水ホース３８が地面やその他の設備に固定されていなくても、安全に運転できる。
〈構成２の効果〉
取水や排水に利用される大容量の揚水ポンプに、支持基板３２と吸水側継ぎ手３４と安定化枠４０とを取り付けて、送水容量の大きな送水装置を実現することができる。また、既存の揚水ポンプを利用するので、新規に設計するよりも低コストになる。
〈構成３の効果〉
電力供給が無い場合でも、ガソリンエンジン等でポンプ羽根１４を駆動することができる。
【図面の簡単な説明】
【０００９】
【図１】実施例１の送水装置１０を示す側面図である。
【図２】揚水ポンプの側面図である。
【図３】揚水ポンプの一方の面から見た平面図である。
【図４】揚水ポンプの他方の面から見た平面図である。
【図５】支持基板３２を吸水孔２４側から見た平面図である。
【図６】支持基板３２を吸水側継ぎ手３４側から見た平面図である。
【図７】支持基板３２と吸水側継ぎ手３４と安定化枠４０の側面図である。
【図８】送水装置１０の使用状態を示す斜視図である。
【考案を実施するための形態】
【００１０】
以下、本考案の実施の形態を実施例毎に詳細に説明する。
【実施例１】
【００１１】
図１は実施例１の送水装置１０を示す側面図である。図２は揚水ポンプの側面図である。図３は揚水ポンプの一方の面から見た平面図である。図４は、揚水ポンプの他方の面から見た平面図である。
図１の送水装置１０は、既知の揚水ポンプを利用している。既知の揚水ポンプの構造については、図２〜図４で説明する。図１の送水装置１０の本体ケース１２は、ポンプ羽根１４を収容している。本体ケース１２の一方の面（図の下側の面）には、吸水孔２４が設けられている。吸水孔２４には、吸水側継ぎ手３４が連結されている。吸水孔２４は図１では隠れており、図２と図４に現れている。
【００１２】
本体ケース１２の他方の面（図の上側の面）には、排水孔２６と軸孔２２が設けられている。排水孔２６と軸孔２２は図１では隠れており、図３に現れている。排水孔２６には排水側継ぎ手２８が連結されている。ポンプ羽根１４は、吸水側継ぎ手３４を通じて吸い込んだ水を排水側継ぎ手２８側に排出する機能を持つ。
【００１３】
本体ケース１２の一方の面（吸水孔２４のある面）には、支持基板３２が固定されている。支持基板３２には、吸水側継ぎ手３４と安定化枠４０が支持固定されている。この支持基板３２と吸水側継ぎ手３４と安定化枠４０とは、本願考案により新たに付け加えられたものである。
【００１４】
ここで、揚水ポンプの説明をする。図２に示すように、本体ケース１２を、例えば、井戸の底やマンホールの底に、吸水孔２４が下になるように配置する。本体ケース１２の内部には、ポンプ羽根１４を駆動する駆動装置が無い。フレキシブルな駆動軸１６の一端にガソリンエンジンや電気モータの駆動軸を接続する。そして、駆動軸１６の他端をコネクタ１８を介してポンプ羽根１４の回転軸に連結する。軸孔２２（図３）は駆動軸１６を挿入するための孔である。軸孔カバー２０は、この部分を保護している。こうしてポンプ羽根１４を回転駆動する。吸水孔２４から吸い上げられた水が排水側継ぎ手２８に接続された図示しないホースを通じて汲み出される。
【００１５】
図３において、排水側継ぎ手２８は排水孔２６にネジ等により固定されている。排水側継ぎ手２８は図示しないホースの口金に着脱できる既知のホースジョイント構造を有している。このような構造の揚水ポンプは、駆動装置を内蔵しないので小型軽量で、ポンプ羽根１４を大口径にすることで、毎分数リッター程度の送水能力を持つものが実現している。
【００１６】
本考案では、この揚水ポンプの一方の面（図２の下側の面）に吸水側継ぎ手３４を取り付けて、吸水ホース３６（図１）を使用してタンク車等から吸い上げた水を排水ホース３８を通じて貯水槽等に送る。ここでひとつ問題が生じる。図２に示した揚水ポンプは、揚水ポンプの一方の面を水底に向けて使用する。排水側継ぎ手２８に接続した図示しないホースや、駆動軸１６をポンプ羽根１４に押しつける圧力で、本体ケース１２が水底に押しつけられる。本体ケース１２の吸水孔２４を設けた面はほぼ平坦である。吸水孔２４にフイルター等を取り付けた場合でも、水底に接する面はほぼ平坦である。従って、駆動軸１６を回転駆動しても、水底に安定に固定されている。
【００１７】
しかしながら、図１のような構造にした場合には、本体ケース１２の側面の平坦でない面が地面等に接する。これでは、駆動軸１６を駆動したとき生じる反作用により本体ケース１２が激しく揺れる現象が生じる。本体ケース１２を大型にして、設置用の台等を設ければこの問題は解決する。しかしそれでは、小型軽量で簡単に持ち運べるこの送水装置１０の利点が失われる。そこで、本体ケース１２に吸水側継ぎ手３４を固定するために設けた支持基板３２に、安定化枠４０を固定した。
【００１８】
図５は支持基板３２を吸水孔２４側から見た平面図である。図６は支持基板３２を吸水側継ぎ手３４側から見た平面図である。図７は、支持基板３２と吸水側継ぎ手３４と安定化枠４０の側面図である。図８は送水装置１０の使用状態を示す斜視図である。
支持基板３２は、本体ケース１２の吸水孔２４を覆うように取り付けられる。支持基板３２には３個のボルト孔４６が設けられており、吸水孔２４の周囲の３個の支柱３０に図示しないボルトで締め付け固定される。これにより、吸水側継ぎ手３４の一端が吸水孔２４の部分に押しつけられて吸水孔２４と吸水側継ぎ手３４との接続ができる。
【００１９】
また、図６と図７に示すように、支持基板３２には２本の縦棒４２の一端が溶接により固定されている。さらに、２本の縦棒４２は、１本の横棒４４によって連結されている。ここで、図８を参照する。図の安定化枠４０は、ポンプ羽根１４の回転軸と交差する方向に向けた安定化柱５４を貫通させることができる。本体ケース１２は地面にその側面を下にして置いてよい。吸水ホース３６をタンク車５０に接続する。排水ホース３８を貯水槽５２に接続する。駆動軸１６をポンプ羽根１４に接続する。安定化柱５４は安定化枠４０から抜け落ちないように、何かで押さえておくとよい。比較的重量のある鉄棒等を使用すれば、そのままで構わない。
【００２０】
駆動軸１６を駆動装置４８に接続して、ポンプ羽根１４を回転駆動すると、本体ケース１２に反発力が加わる。ここで、安定化枠４０に挿入された安定化柱５４が本体ケース１２の動きを抑制するので、安定に送水を継続できる。揚水ポンプのような大量の水を送る機能を持ったポンプを使用するので、タンク車５０から貯水槽５２に迅速に必要なだけの飲料水を給水できる。従って、タンク車５０が各所を回って給水を行うような場合に、その作業を効率良くすすめることができる。
【００２１】
上記の実施例によれば、既存の揚水ポンプの部品をそのまま利用するので、新規に設計するよりも低コストになるという効果がある。また、本体ケース１２は小型軽量にできるので、運搬が容易で、取り扱いも簡単である。従って、非常用飲料水の給水等に広く利用できる。ガソリンエンジン等でポンプ羽根１４を駆動することができるから、電力供給が無い場合でも使用できる。なお、安定化枠４０は上記の実施例に限定されない。例えば、鉄板に安定化柱５４を貫通させる孔を開けたものでも構わない。
【符号の説明】
【００２２】
１０  送水装置
１２  本体ケース
１４  ポンプ羽根
１６  駆動軸
１８  コネクタ
２０  軸孔カバー
２２  軸孔
２４  吸水孔
２６  排水孔
２８  排水側継ぎ手
３０  支柱
３２  支持基板
３４  吸水側継ぎ手
３６  吸水ホース
３８  排水ホース
４０  安定化枠
４２  縦棒
４４  横棒
４６  ボルト孔
４８  駆動装置
５０  タンク車
５２  貯水槽
５４  安定化柱
【図１】
0003221376.tif 000003
【図２】
0003221376.tif 000004
【図３】
0003221376.tif 000005
【図４】
0003221376.tif 000006
【図５】
0003221376.tif 000007
【図６】
0003221376.tif 000008
【図７】
0003221376.tif 000009
【図８】
0003221376.tif 000010